(57)【要約】【課題】簡易な構成で、カフと本体ケースとを接続する接続管の収容性が向上される血圧計、を提供する。【解決手段】血圧計１００は、空気が供給される膨縮可能な空気袋１５１を有するカフ１５０と、空気袋１５１を膨縮させる血圧測定用エア系コンポーネントを収容する本体ケース２１と、空気袋１５１と血圧測定用エア系コンポーネントとの間を接続し、空気を流通させるためのエア管３１とを備える。エア管３１は、扁平形状の断面を有し、折り畳まれる扁平断面部３５を有する。扁平断面部３５の、エア管３１の長手方向に間隔を隔てた位置には、予め折り目が形成され、かつ折り目の方向が制限された折り目部位４３が設けられる。【選択図】図１
2009225865.tif 000002
【特許請求の範囲】
【請求項１】
流体が供給される膨縮可能な流体袋を有するカフと、
前記流体袋を膨縮させる膨縮機構部を収容する本体ケースと、
前記流体袋と前記膨縮機構部との間を接続し、流体を流通させるための接続管とを備え、
前記接続管は、扁平形状の断面を有し、折り畳まれる扁平断面部を有し、
前記扁平断面部の、前記接続管の長手方向に間隔を隔てた位置には、予め折り目が形成され、かつ折り目の方向が制限された折り目部位が設けられる、血圧計。
【請求項２】
前記接続管は、前記扁平断面部に設けられ、前記折り目部位に折り目を形成するとともに、折り目の方向を制限するための支持部材をさらに有する、請求項１に記載の血圧計。
【請求項３】
前記支持部材は、前記折り目部位に形成された折り目の内側に配置される、請求項２に記載の血圧計。
【請求項４】
前記支持部材は、前記扁平断面部の一部の区間で流体を流通させる管形状を有する、請求項２または３に記載の血圧計。
【請求項５】
前記接続管は、前記扁平断面部と前記カフとの間に配置され、前記接続管の長手方向に沿って自在に湾曲する湾曲部をさらに有する、請求項１から４のいずれか１項に記載の血圧計。
【請求項６】
前記扁平断面部の、互いに隣り合う前記折り目部位の間には、平坦に延在する平坦部位が設けられ、前記扁平断面部は、前記平坦部位が積層されるように折り畳まれる、請求項１から５のいずれか１項に記載の血圧計。
【請求項７】
前記折り目部位に形成される折り目の方向は、山折方向および谷折方向が交互に繰り返すように制限される、請求項１から６のいずれか１項に記載の血圧計。
【請求項８】
前記扁平断面部の一端が、前記本体ケースに支持される、請求項１から７のいずれか１項に記載の血圧計。
【請求項９】
前記本体ケースには、折り畳まれた前記扁平断面部を収容するための収容部が設けられる、請求項１から８のいずれか１項に記載の血圧計。
【発明の詳細な説明】
【技術分野】
【０００１】
この発明は、一般的には、血圧計に関し、より特定的には、カフと本体ケースとが接続管により接続される血圧計に関する。
【背景技術】
【０００２】
従来の血圧計に関して、たとえば、実開昭６２−１３０６０６号公報には、腕帯をまとまりよく保持するとともに、外部からのほこり等から腕帯を守ることを目的とした血圧計セットが開示されている（特許文献１）。特許文献１に開示された血圧計セットにおいては、血圧計本体に、血圧計用腕帯を収納するための収納ケースが取り付けられる。血圧計を使用しない状態では、腕帯に付属するエアー管およびマイクロホンプラグは、腕帯とともに収納ケースに収納される。
【０００３】
また、特開平３−９７４４３号公報には、送排気管の全長を使用状態において最適状態に保ち、かつ信号線が邪魔になることがなく、かつ送排気管を小さい収容容積で容易に収容することを目的とした血圧測定装置が開示されている（特許文献２）。特許文献２に開示された血圧測定装置においては、カフ内部の空気袋と装置本体との間が、送気と定速排気とを行なう送気管により接続されている。送気管は、螺旋状にカールされており、この送気管に沿うように、カフ内のセンサと装置本体とを電気的に接続する信号線が設けられている。
【０００４】
また、特開２００７−４４４４４号公報には、カフと本体ケーシングとを接続するエア管の収容性に優れた血圧計測装置が開示されている（特許文献３）。特許文献３に開示された血圧計測装置は、カフと本体ケーシングとを接続する接続管を有する。血圧計測装置には、本体ケーシングから引き出されている接続管を、本体ケーシング内の接続管収容部に引き込むための引き込み手段が設けられている。引き込み手段としては、たとえばボビンに接続管を巻き取る構成が開示されている。
【特許文献１】実開昭６２−１３０６０６号公報
【特許文献２】特開平３−９７４４３号公報
【特許文献３】特開２００７−４４４４４号公報
【発明の開示】
【発明が解決しようとする課題】
【０００５】
近年、高血圧を要因とする生活習慣病の早期発見や血圧管理を目的として、血圧計の使用が、家庭等において広く普及している。測定の頻度が高まるにつれて、非使用時のカフ、エア管および本体ケースの収容性が強く求められており、上述の特許文献にも、これらの収容性の向上を図った各種の血圧計が開示されている。
【０００６】
しかしながら、上述の特許文献１に開示された血圧計セットにおいては、腕帯の収容性については種々の考慮がされているが、エア管の収容性についてはほとんど考慮がされていない。また、エア管の収容作業についてはその一切がユーザの手に委ねられることになり、これを無造作に取り扱った場合には、エア管が折り曲げられたり、捩じ曲げられたり、もしくは本体ケースと開閉カバーとの間に挟まれたりするおそれがある。このような場合、エア管の破損につながることになる。
【０００７】
また、上述の特許文献２に開示された血圧測定装置においては、送気管が螺旋状に復元力を有するように熱加工されている。しかしながら、送気管が螺旋状にまとめられても、その容積はある程度の大きさとなるため、収容性が十分に改善されたとは言い難い。また、螺旋状に熱加工された複合管の復元力によって、カフの装着時、常に上腕にテンションがかかることとなるため、測定精度に悪影響を及ぼしたり、ユーザへの負担が懸念される。
【０００８】
また、上述の特許文献３に開示された血圧計測装置によれば、エア管の収容性は改善されるものの、構成が複雑になり、部品点数や製造コストが増加することになる。
【０００９】
そこでこの発明の目的は、上記の課題を解決することであり、簡易な構成で、カフと本体ケースとを接続する接続管の収容性が向上される血圧計を提供することである。
【課題を解決するための手段】
【００１０】
この発明に従った血圧計は、カフと、本体ケースと、接続管とを備える。カフは、流体が供給される膨縮可能な流体袋を有する。本体ケースは、流体袋を膨縮させる膨縮機構部を収容する。接続管は、流体袋と膨縮機構部との間を接続し、流体を流通させるために設けられる。接続管は、折り畳まれる扁平断面部を有する。扁平断面部は、扁平形状の断面を有する。扁平断面部の、接続管の長手方向に間隔を隔てた位置には、予め折り目が形成され、かつ折り目の方向が制限された折り目部位が設けられる。
【００１１】
このように構成された血圧計によれば、扁平形状の断面を有し、折り目部位が設けられた扁平断面部が、接続管の収容時、折り畳んだ状態とされるため、接続管をコンパクトにまとめることができる。このため、簡易な構成で、接続管の収容性を向上させることができる。
【００１２】
また好ましくは、接続管は、扁平断面部に設けられ、折り目部位に折り目を形成するとともに、折り目の方向を制限するための支持部材をさらに有する。このように構成された血圧計によれば、扁平断面部に支持部材を設けるだけの簡易な構成により、接続管の収容性を向上させることができる。
【００１３】
また好ましくは、支持部材は、折り目部位に形成された折り目の内側に配置される。このように構成された血圧計によれば、支持部材が折り目の外側に配置される場合と比較して、扁平断面部の折り目部位に、過大な力を与えることなく折り目を形成することができる。
【００１４】
また好ましくは、支持部材は、扁平断面部の一部の区間で流体を流通させる管形状を有する。このように構成された血圧計によれば、折り目部位における扁平断面部の強度を確保することができる。
【００１５】
また好ましくは、接続管は、扁平断面部とカフとの間に配置され、接続管の長手方向に沿って自在に湾曲する湾曲部をさらに有する。このように構成された血圧計によれば、血圧測定時、湾曲部が自在に湾曲するため、カフの位置の自由度が本体ケースの位置によって制限されることを防止できる。
【００１６】
また好ましくは、扁平断面部の、互いに隣り合う折り目部位の間には、平坦に延在する平坦部位が設けられる。扁平断面部は、その平坦部位が積層されるように折り畳まれる。このように構成された血圧計によれば、扁平断面部を折り畳んだ場合に、接続管をよりコンパクトにまとめることができる。
【００１７】
また好ましくは、折り目部位に形成される折り目の方向は、山折方向および谷折方向が交互に繰り返すように制限される。このように構成された血圧計によれば、扁平断面部を縮めるように接続管に力を加えると、扁平断面部が自然と折り畳まれる。このため、接続管の収容時の作業性を向上させることができる。
【００１８】
また好ましくは、扁平断面部の一端が、本体ケースに支持される。このように構成された血圧計によれば、扁平断面部を折り畳む際、扁平断面部の一端が本体ケースに支持されるため、折り畳み作業が行ない易くなる。
【００１９】
また好ましくは、本体ケースには、折り畳まれた扁平断面部を収容するための収容部が設けられる。このように構成された血圧計によれば、接続管の収容性をさらに向上させることができる。
【発明の効果】
【００２０】
以上説明したように、この発明に従えば、簡易な構成で、カフと本体ケースとを接続する接続管の収容性が向上される血圧計を提供することができる。
【発明を実施するための最良の形態】
【００２１】
この発明の実施の形態について、図面を参照して説明する。なお、以下で参照する図面では、同一またはそれに相当する部材には、同じ番号が付されている。
【００２２】
（実施の形態１）
図１は、この発明の実施の形態１における血圧計を示す斜視図である。図１を参照して、血圧計１００は、装置本体１１０、カフ１５０およびエア管３１を有する。血圧計１００は、カフ１５０が被験者の上腕に装着される上腕式血圧計である。装置本体１１０とカフ１５０とは、分離して設けられており、血圧値の測定時において、装置本体１１０は机などの載置面に載置されて使用される。装置本体１１０とカフ１５０との間は、エア管３１により接続されている。
【００２３】
装置本体１１０は、表示部１１４、操作部１１５および本体ケース２１を有する。表示部１１４には、血圧値の測定結果や脈拍数の測定結果などが、数値やグラフなどを用いて視認可能に表示される。表示部１１４としては、たとえば液晶パネルが利用される。操作部１１５には、電源ボタンや測定開始ボタン、過去の測定記録を呼び出すための記録呼び出しボタンなどの各種ボタンが設けられている。表示部１１４および操作部１１５は、本体ケース２１に設けられている。
【００２４】
本体ケース２１は、装置本体１１０の外郭をなす筐体形状を有する。本体ケース２１には、カフ１５０を収容するためのカフ収容部２３と、エア管３１を収容するためのエア管収容部２５とが形成されている。本体ケース２１は、カフ収容部２３およびエア管収容部２５を覆うように設けられ、開閉自在な蓋部材２７を有する。
【００２５】
カフ１５０は、帯状の外形を有し、血圧測定時、被験者の上腕の周囲に巻き付けられる。カフ１５０は、空気が供給される空気袋１５１と、空気袋１５１を上腕に巻き付けて固定するための袋状カバー体１５３とを有する。空気袋１５１は、袋状カバー体１５３の内部に設けられた空間に収容されている。
【００２６】
エア管３１は、内部に空気が流通可能な管部材により形成されている。エア管３１の一端は、装置本体１１０に設けられる後述の血圧測定用エア系コンポーネント１３１（図２参照）に接続され、他端は、空気袋１５１に接続されている。
【００２７】
次に、血圧計１００の主要な機能ブロックの構成について説明する。図２は、図１中の血圧計の構成を示す機能ブロック図である。
【００２８】
図２を参照して、血圧計１００の装置本体１１０の内部には、血圧計用のカフ１５０に内包された空気袋１５１にエア管３１を介して空気を供給または排出するための血圧測定用エア系コンポーネント１３１が設けられている。血圧測定用エア系コンポーネント１３１は、空気袋１５１内の圧力を検出する圧力検出手段である圧力センサ１３２と、空気袋１５１を膨縮させるための膨縮手段１３３であるポンプ１３４および弁１３５とを有する。装置本体１１０の内部には、血圧測定用エア系コンポーネント１３１に関連して発振回路１２５、ポンプ駆動回路１２６および弁駆動回路１２７が設けられている。
【００２９】
装置本体１１０には、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部１１４と、測定のための各種指示を入力するために操作される操作部１１５と、ＣＰＵ１２２および各機能ブロックに電力を供給するための電源部１２４とが設けられている。ＣＰＵ１２２は、血圧値を算出するための血圧値算出手段としても機能する。
【００３０】
圧力センサ１３２は、空気袋１５１内の圧力（以下、「カフ圧」という）を検出し、検出した圧力に応じた信号を発振回路１２５に出力する。ポンプ１３４は、エア管３１を通じて空気袋１５１に空気を供給する。弁１３５は、空気袋１５１内の圧力を維持したり、空気袋１５１内の空気を排出したりする際に開閉する。発振回路１２５は、圧力センサ１３２の出力値に応じた発振周波数の信号をＣＰＵ１２２に出力する。ポンプ駆動回路１２６は、ポンプ１３４の駆動をＣＰＵ１２２から与えられる制御信号に基づいて制御する。弁駆動回路１２７は、弁１３５の開閉制御をＣＰＵ１２２から与えられる制御信号に基づいて行なう。
【００３１】
次に、血圧計１００における血圧測定処理の流れについて説明する。図３は、図１中の血圧計の血圧測定処理の流れを示すフローチャートである。このフローチャートに従うプログラムは、図２において示したメモリ部１２３に予め記憶されており、ＣＰＵ１２２がメモリ部１２３からこのプログラムを読出して実行することにより、血圧測定処理が実施される。
【００３２】
図２および図３を参照して、被験者が血圧計１００の操作部１１５の操作ボタンを操作して電源をオンにすると、血圧計１００の初期化がなされる（ステップＳ１）。次に、測定可能状態になると、ＣＰＵ１２２はポンプ１３４の駆動を開始し、空気袋１５１のカフ圧を徐々に上昇させる（ステップＳ２）。カフ圧を徐々に加圧する過程において、カフ圧が血圧測定のために必要な所定のレベルにまで達すると、ＣＰＵ１２２はポンプ１３４を停止し、次いで閉じていた弁１３５を徐々に開いて空気袋１５１の空気を徐々に排気し、カフ圧を徐々に減圧させる。このカフ圧の微速減圧過程においてカフ圧の検出が行なわれる（ステップＳ３）。
【００３３】
次に、ＣＰＵ１２２は、公知の手順で収縮期血圧値（最高血圧値）および拡張期血圧値（最低血圧値）を算出する（ステップＳ４）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ４において血圧値が算出されると、算出された血圧値を表示部１１４に表示する（ステップＳ５）。
【００３４】
なお、以上において説明した測定方式は、空気袋の減圧時に脈波を検出して血圧値を算出するいわゆる減圧測定方式に基づいたものであるが、空気袋の加圧時に脈波を検出して血圧値を算出するいわゆる加圧測定方式を採用することも当然に可能である。
【００３５】
次に、図１中の血圧計１００が有するエア管３１の構造について詳細な説明を行なう。図４は、図１中のＩＶ−ＩＶ線上に沿ったエア管を示す断面図である。
【００３６】
図１および図４を参照して、エア管３１は、エア管収容部２５への収容時、折り畳まれる扁平断面部３５を有する。本実施の形態では、扁平断面部３５が、本体ケース２１とカフ１５０との間の一部区間に渡って設けられている。扁平断面部３５は、一端としての第１端部３５ｐと、エア管３１の長手方向において第１端部３５ｐの反対側に配置される第２端部３５ｑとを有する。第１端部３５ｐは、本体ケース２１に支持されている。第１端部３５ｐは、エア管収容部２５に配置されている。
【００３７】
扁平断面部３５は、エア管３１の長手方向に直交する平面で切断された場合に、扁平形状の断面を有する。より具体的には、扁平断面部３５は、エア管３１の長手方向に直交する平面で切断された場合に、横方向の長さＬ１が相対的に大きくなり、縦方向の長さＬ２が相対的に小さくなる横長のトラック形状（直線部分と２つの半円部分とを組み合わせた形状）の断面を有する。
【００３８】
なお、扁平断面部３５は、図４中に示す形状に限られず、エア管３１の長手方向に直交する平面で切断された場合に長手方向と短手方向とを有する断面形状であれば、いかなる形状を有してもよい。扁平断面部３５は、たとえば、矩形形状の断面や、縦横比の異なる多角形形状の断面を有してもよい。
【００３９】
扁平断面部３５は、可撓性のチューブ部材３７から形成されている。チューブ部材３７の内側には、空気を流通させるための空気流路３６が形成されている。チューブ部材３７は、樹脂材料を押し出し成形することによって一体的に製造されている。
【００４０】
図５は、図４中の扁平断面部の変形例を示す断面図である。図５を参照して、扁平断面部３５は、互いに接合される樹脂プレート３８ｍおよび樹脂プレート３８ｎから形成されてもよい。扁平断面部３５は、内側に空気流路３６が形成されるように樹脂プレート３８ｍと樹脂プレート３８ｎとを組み合わせ、その周縁部分を熱溶着により接合することにより製造されている。
【００４１】
図６は、図１中の２点鎖線ＶＩで囲まれた範囲を拡大して示す側面図である。図１および図６を参照して、扁平断面部３５の、エア管３１の長手方向に間隔を隔てた位置には、折り目部位４３が設けられている。折り目部位４３は、エア管３１の長手方向において等間隔に配置されている。折り目部位４３には、折り目方向が制限された折り目が予め形成されている。折り目方向が制限されるとは、折り目が山折および谷折のいずれか一方の折り癖を有していることを意味する。この点、たとえば、山折方向の折り癖を有する折り目を、必ずしも谷折方向には折ることができないことを意味するものではない。
【００４２】
なお、折り目部位４３は、必ずしも等間隔に配置される必要はなく、たとえば、第１端部３５ｐから第２端部３５ｑに近づくに従って、折り目部位４３間の間隔が徐々に小さくなるように配置されてもよい。
【００４３】
本実施の形態では、エア管３１が、折り目部位４３に折り目を形成するための支持部材としての支持具５１を有する。支持具５１は、可撓性を有し、エア管３１の長手方向に沿って湾曲しながら延びる形状を有する。支持具５１は、たとえば樹脂から形成されている。支持具５１は、扁平断面部３５を形成するチューブ部材３７に接合されている。支持具５１の接合方法は、特に限定されず、たとえば熱溶着、接着もしくは貼り付けによる。チューブ部材３７は、扁平断面部３５が有する扁平断面の長手方向に延在する側面３７ａおよび側面３７ｂを有する。側面３７ａおよび側面３７ｂは、互いに反対側に面して形成されている。支持具５１は、側面３７ａもしくは側面３７ｂに接合されている。
【００４４】
折り目部位４３に形成される折り目の方向は、支持具５１をチューブ部材３７の側面３７ａおよび側面３７ｂのいずれに接合するかによって決定される。支持具５１を側面３７ａに接合した場合、側面３７ａが折り目の外側に配置されるように折り目が形成され、支持具５１を側面３７ｂに接合した場合、側面３７ｂが折り目の外側に配置されるように折り目が形成される。
【００４５】
支持具５１は、エア管３１の長手方向に沿って側面３７ａと側面３７ｂとに交互に接合されている。このような構成により、折り目部位４３に形成される折り目の方向は、山折方向および谷折方向が交互に繰り返すように制限されている。
【００４６】
扁平断面部３５の、互いに隣り合う折り目部位４３の間には、平坦部位４１が設けられている。平坦部位４１は、エア管３１の長手方向に沿って平坦に延在する板状に形成されている。扁平断面部３５は、隣接する平坦部位４１同士がエア管３１の長手方向に沿って直線状に延在する形態と、隣接する平坦部位４１同士が接触して積層される形態との間で任意の形態を取りうるように形成されている。
【００４７】
エア管３１は、湾曲部としての軟質チューブ３３を有する。軟質チューブ３３は、扁平断面部３５とカフ１５０との間の区間に渡って設けられている。軟質チューブ３３は、扁平断面部３５の第２端部３５ｑに接続されている。軟質チューブ３３は、軟質の材料から形成されており、接続管の長手方向に沿って自在に湾曲する。
【００４８】
図７は、図１中の血圧計の使用時の状態を模式的に表わした側面図である。図７を参照して、血圧計１００の使用時、エア管３１は、第１端部３５ｐを支点に扁平断面部３５を引き伸ばした状態で使用される。
【００４９】
本実施の形態では、扁平断面部３５が、扁平形状の断面を有するため、その断面の長手方向に湾曲し難い特性を有する。これに対して、本実施の形態では、扁平断面部３５とカフ１５０との間で軟質チューブ３３を自在に湾曲させることにより、カフ１５０の位置の自由度が本体ケース２１の位置によって制限されることを防止できる。また、扁平断面部３５からカフ１５０を装着した上腕に予期しないテンションがかかることを防止して、測定精度の確保やユーザへの負担の軽減を図ることができる。
【００５０】
図８は、図１中の血圧計の未使用時の状態を模式的に表わした側面図である。図８を参照して、血圧計１００による血圧測定が終了したら、カフ１５０およびエア管３１がそれぞれカフ収容部２３およびエア管収容部２５に収容される。このとき、扁平断面部３５は、隣接する平坦部位４１が一方向に積層された状態に折り畳まれて、エア管収容部２５に収容される。
【００５１】
本実施の形態では、扁平断面を有する扁平断面部３５に、折り目方向が制限された折り目が予め形成されているため、第２端部３５ｑを本体ケース２１に向けて押し戻すだけで、扁平断面部３５を簡単に折り畳んだ状態とできる。また、折り目部位４３を設けることによって、エア管３１の収容形態が一定形状に制限される。このため、エア管収容部２５においてエア管３１が折れ曲がったり、捩り曲げられたりすることを防ぎ、エア管３１を適切に保護することができる。
【００５２】
この発明の実施の形態１における血圧計１００は、流体としての空気が供給される膨縮可能な流体袋としての空気袋１５１を有するカフ１５０と、空気袋１５１を膨縮させる膨縮機構部としての血圧測定用エア系コンポーネント１３１を収容する本体ケース２１と、空気袋１５１と血圧測定用エア系コンポーネント１３１との間を接続し、空気を流通させるための接続管としてのエア管３１とを備える。エア管３１は、扁平形状の断面を有し、折り畳まれる扁平断面部３５を有する。扁平断面部３５の、エア管３１の長手方向に間隔を隔てた位置には、予め折り目が形成され、かつ折り目の方向が制限された折り目部位４３が設けられる。
【００５３】
このように構成された、この発明の実施の形態１における血圧計１００によれば、扁平断面を有する扁平断面部３５が折り畳まれた状態でエア管収容部２５に収容されるため、エア管３１の収容性を向上させることができる。また、扁平断面部３５に予め折り目が形成された折り目部位４３を設けることにより、扁平断面部３５を簡単に折り畳んだ状態とできるため、エア管３１の収容時および取り出し時の作業性が煩雑になるということがない。また、エア管３１に扁平断面部３５を設けるだけで上記効果が得られるため、血圧計１００を、簡易な構造とし、低コストに製造することができる。
【００５４】
なお、本実施の形態では、本発明を上腕式の血圧計に適用した場合を説明したが、たとえば、手首式の血圧計であっても本体ケースとカフとがエア管により接続されるタイプであれば、本発明を適用することが可能である。
【００５５】
（実施の形態２）
本実施の形態では、図１中の血圧計１００が有するエア管３１の各種変形例について説明を行なう。以下、実施の形態１で説明したエア管３１の構造と重複する構造については、説明を繰り返さない。以下に参照する図９から図１３は、実施の形態１における図６に対応する図である。
【００５６】
図９は、図１中の血圧計が有するエア管の第１変形例を示す側面図である。図９を参照して、本変形例では、エア管３１が、折り目部位４３に折り目を形成するための支持具５３を有する。支持具５３は、湾曲外周面を有する形状に形成されており、本変形例では、円柱形状に形成されている。支持具５３は、円柱の外周面が側面３７ａもしくは側面３７ｂに接触するようにチューブ部材３７に接合されている。支持具５３を側面３７ａに接合した場合、側面３７ａが折り目の内側に配置されるように折り目が形成され、支持具５３を側面３７ｂに接合した場合、側面３７ｂが折り目の内側に配置されるように折り目が形成される。
【００５７】
このような構成により、チューブ部材３７が支持具５３によって外側から押し潰されるということがないため、折り目部位４３において扁平断面部３５の断面形状を確実に保持することができる。
【００５８】
図１０は、図１中の血圧計が有するエア管の第２変形例を示す斜視図である。図１０を参照して、本変形例では、エア管３１が、折り目部位４３に折り目を形成するための支持具５５および５６を有する。支持具５５および５６は、エア管３１の長手方向に沿って湾曲しながら延びる形状を有する。支持具５５および５６は、エア管３１の長手方向に直交する平面で切断された場合に、一方に開口する凹型の断面形状を有する。支持具５５および支持具５６は、折り目部位４３において、扁平断面部３５が有する扁平断面の長手方向の両側からチューブ部材３７に嵌め合わされている。
【００５９】
図１１は、図１中の血圧計が有するエア管の第３変形例を示す斜視図である。図１１を参照して、本変形例では、図１０中の支持具５５および５６に替えて、扁平断面部３５が有する扁平断面の長手方向の片側からチューブ部材３７に嵌め合わされる支持具５７が用いられている。
【００６０】
図１２は、図１中の血圧計が有するエア管の第４変形例を示す斜視図である。図１２を参照して、本変形例では、エア管３１が、空気を流通させるための空気流路３６を形成し、直線状に延伸するチューブ部材３９と、エア管３１の長手方向に沿って湾曲しながら延び、折り目部位４３に折り目を形成する支持具５９とを有する。支持具５９は、扁平形状の断面を有し、その内側には空気流路３６が形成されている。支持具５９には、空気流路３６同士が連通するようにチューブ部材３９が接続されている。本変形例では、折り目部位４３に折り目を形成するための支持具５９が、扁平断面部３５の一部の区間で空気を流通させる機能も発揮する。
【００６１】
このような構成によれば、支持具５９自身を扁平断面形状の管部材から形成することにより、折り目部位４３において扁平断面部３５が折れ曲がってしまうことを防止できる。
【００６２】
図１３は、図１中の血圧計が有するエア管の第５変形例を示す斜視図である。図１３を参照して、本変形例では、図１２中のチューブ部材３９および支持具５９の内側に、軟質チューブ３３が挿入されている。軟質チューブ３３は、カフ１５０と本体ケース２１との間で延びる。空気は、軟質チューブ３３により形成された空気流路３６を流通する。
【００６３】
図１２以前の図中に示すエア管３１では、空気流路３６を形成する管部材によって、折り畳み部位４３を有する扁平断面部３５が構成されている。これに対して、本変形例では、折り畳み形状を得るための補助具としてのチューブ部材３９および支持具５９と、空気を流通させるための空気流路３６を形成する軟質チューブ３３とにより、扁平断面部３５が構成されている。
【００６４】
このように構成された、この発明の実施の形態２における血圧計によれば、実施の形態１に記載の効果を同様に得ることができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】この発明の実施の形態１における血圧計を示す斜視図である。
【図２】図１中の血圧計の構成を示す機能ブロック図である。
【図３】図１中の血圧計の血圧測定処理の流れを示すフローチャートである。
【図４】図１中のＩＶ−ＩＶ線上に沿ったエア管を示す断面図である。
【図５】図４中の扁平断面部の変形例を示す断面図である。
【図６】図１中の２点鎖線ＶＩで囲まれた範囲を拡大して示す側面図である。
【図７】図１中の血圧計の使用時の状態を模式的に表わした側面図である。
【図８】図１中の血圧計の未使用時の状態を模式的に表わした側面図である。
【図９】図１中の血圧計が有するエア管の第１変形例を示す側面図である。
【図１０】図１中の血圧計が有するエア管の第２変形例を示す斜視図である。
【図１１】図１中の血圧計が有するエア管の第３変形例を示す斜視図である。
【図１２】図１中の血圧計が有するエア管の第４変形例を示す斜視図である。
【図１３】図１中の血圧計が有するエア管の第５変形例を示す斜視図である。
【符号の説明】
【００６７】
２１  本体ケース、２５  エア管収容部、３１  エア管、３３  軟質チューブ、３５  扁平断面部、３５ｐ  第１端部、３５ｑ  第２端部、４１  平坦部位、４３  折り目部位、５１，５３，５５，５６，５７，５９  支持具、１００  血圧計、１３１  血圧測定用エア系コンポーネント、１５０  カフ、１５１  空気袋。
【図１】
2009225865.tif 000003
【図２】
2009225865.tif 000004
【図３】
2009225865.tif 000005
【図４】
2009225865.tif 000006
【図５】
2009225865.tif 000007
【図６】
2009225865.tif 000008
【図７】
2009225865.tif 000009
【図８】
2009225865.tif 000010
【図９】
2009225865.tif 000011
【図１０】
2009225865.tif 000012
【図１１】
2009225865.tif 000013
【図１２】
2009225865.tif 000014
【図１３】
2009225865.tif 000015